(57)【要約】【課題】簡単な構成で画像周辺部分の光量落ちを精度よく補正する。【解決手段】カメラは、被写体を照明する照明部４１２を備え、撮像光学系を介して被写体を撮影して画像を得る。照明制御部４１１は、照明部によって被写体が照明されているか否かを判定し、映像信号処理部４０８は、画像の周辺部分において生じる光量の低下である周辺光量落ちを補正する際、その判定結果に応じて、照明部による照明に起因する周辺光量落ちの補正を行うか否かを決定する。【選択図】図１
2015195499.tif 000002
【特許請求の範囲】
【請求項１】
被写体を照明する照明手段を備え、撮像光学系を介して被写体を撮影して画像を得る撮像装置であって、
前記画像の周辺部分において生じる光量の低下である周辺光量落ちを補正する補正手段と、
前記照明手段によって前記被写体が照明されているか否かを判定する判定手段とを有し、
前記補正手段は、前記判定手段による判定結果に応じて、前記照明手段による照明に起因する前記周辺光量落ちの補正を行うか否かを決定することを特徴とする撮像装置。
【請求項２】
前記補正手段は、前記判定結果によって前記被写体が照明されていることを示されていると、前記撮像光学系に起因する前記周辺光量落ちを補正するとともに、前記照明手段による照明に起因する前記周辺光量落ちを補正することを特徴とする請求項１に記載の撮像装置。
【請求項３】
前記補正手段は、前記被写体が照明された際の前記照明手段による照明強度および照明の照射角度を示す調光条件に応じて、前記照明手段による照明に起因する周辺光量落ちを補正するための補正パターンを変更することを特徴とする請求項２に記載の撮像装置。
【請求項４】
前記照明手段は前記撮像装置に対して交換可能であり、
前記補正手段は、前記照明手段の種類毎にその点灯の際の配光特性に応じた照明由来の周辺光量落ち補正パターンに応じて、前記照明手段による照明に起因する周辺光量落ちを補正することを特徴とする請求項２に記載の撮像装置。
【請求項５】
前記撮像光学系は前記撮像装置に対して交換可能なレンズユニットであり、
前記補正手段は、前記レンズユニットの種類毎に定められた光学由来の周辺光量落ち補正パターンに応じて、前記レンズユニットに起因する周辺光量落ちを補正することを特徴とする請求項２に記載の撮像装置。
【請求項６】
前記照明手段は前記撮像装置に対して交換可能であり、前記撮像光学系は前記撮像装置に対して交換可能なレンズユニットであり、
前記補正手段は、前記照明手段の種類毎にその点灯の際の配光特性に応じた照明由来の周辺光量落ち補正パターンに応じて、前記照明手段による照明に起因する周辺光量落ちを補正するとともに、前記レンズユニットの種類毎に定められた光学由来の周辺光量落ち補正パターンに応じて、前記レンズユニットに起因する周辺光量落ちを補正することを特徴とする請求項２に記載の撮像装置。
【請求項７】
被写体を照明する照明手段を備え、撮像光学系を介して被写体を撮影して画像を得る撮像装置の制御方法であって、
前記画像の周辺部分において生じる光量の低下である周辺光量落ちを補正する補正ステップと、
前記照明手段によって前記被写体が照明されているか否かを判定する判定ステップと、
前記判定ステップによる判定結果に応じて、前記補正ステップにおいて前記照明手段による照明に起因する前記周辺光量落ちの補正を行うか否かを決定する決定ステップと、
を有することを特徴とする制御方法。
【請求項８】
被写体を照明する照明手段を備え、撮像光学系を介して被写体を撮影して画像を得る撮像装置で用いられる制御プログラムであって、
前記撮像装置が備えるコンピュータに、
前記画像の周辺部分において生じる光量の低下である周辺光量落ちを補正する補正ステップと、
前記照明手段によって前記被写体が照明されているか否かを判定する判定ステップと、
前記判定ステップによる判定結果に応じて、前記補正ステップにおいて前記照明手段による照明に起因する前記周辺光量落ちの補正を行うか否かを決定する決定ステップと、
を実行させることを特徴とする制御プログラム。
【発明の詳細な説明】
【技術分野】
【０００１】
本発明は、撮像装置、その制御方法、および制御プログラムに関し、特に、撮像装置における輝度ばらつきの補正に関する。
【背景技術】
【０００２】
一般に、デジタルカメラなどの撮像装置において、そのレンズ特性として所謂周辺光量落ち（光学由来の周辺光量落ち）という現象が知られている。ここで、撮像装置における周辺光量落ちについて説明する。
【０００３】
図７は、従来の撮像装置における周辺光量落ちを説明するための図である。
【０００４】
光学由来の周辺光量落ち１０１は、レンズの光軸中心から離れるにつれて光量が低下する（落ちる）現象であり、その結果、レンズの周辺部分に対応する撮影画像の周辺部分が暗くなってしまう。この周辺光量落ち１０１を模式的に示すと、周辺光量落ちのカーブ１０２が得られる。ここでは、横軸が画像中心からの距離を示し、縦軸が光量を示す。そして、上述のような周辺光量落ちを補正することによって、画面における輝度ムラを補正して均一な明るさの画面としている。
【０００５】
ところで、周辺光量落ちに影響を与える条件として、例えば、ズーム位置およびフォーカス位置などの焦点距離情報、そして、絞り開口径があり、周辺光量落ちを補正する際には、当該条件に応じて周辺光量落ちの補正が行われる。
【０００６】
図８は、周辺光量落ちが発生している画像の補正を説明するための図である。
【０００７】
図８において、横軸は画像中心からの距離を示し、縦軸は光量を示す。周辺光量落ちが起きている画像２０１において、その中心部に対して周辺部分についてゲイン２０２を大きくして、電気的に輝度値を大きくする。これによって、画面（つまり、画像）２０３における輝度を均一に保つようにしている。
【０００８】
一方、撮影環境が暗い場合には、一般に被写体に対して照明を照射して撮影が行われる。この際、光は被写体を照らすように照射されるが、特に、広角の撮像装置によって撮影を行う場合には、周辺部分において十分な照明を行うことができず、周辺部分が暗くなってしまうことがある（このような現象を照明由来の周辺光量落ちという）。
【０００９】
このように、周辺光量落ちには、光学由来の周辺光量落ちと照明由来の周辺光量落ちとがあり、両者が発生すると周辺光量落ちの程度が激しくなる。
【００１０】
図９は、光学由来の周辺光量落ちと照明由来の周辺光量落ちとが生じた際の画像を説明するための図である。
【００１１】
光学由来および照明由来の周辺光量落ち３０１が生じると、図７に示す光学由来の光量落ち１０１に比べて、周辺部分における光量落ちが激しくなる。この周辺光量落ち３０１を模式的に示すと、周辺光量落ちのカーブ３０２が得られる。ここでは、横軸が画像中心からの距離を示し、縦軸が光量を示す。
【００１２】
上述のように、被写体を照明して撮影する撮影環境下においては、照明光が均一でないと撮影画角において明るさにムラが生じてしまう。
【００１３】
このような明るさのムラによる周辺光量落ちを回避するため、例えば、補正テーブルを備えて、画像中心と周辺部分との輝度を比較して、周辺部分が暗いと周辺部分が明るくなるように補正し、周辺部分が明るいと周辺部分が暗くなるように補正する撮像装置がある（特許文献１参照）。
【００１４】
さらに、照明がオンした際の画像と照明がオフした際の画像とを比較して、その輝度の差分から画素毎に補正量を求めて、画像の補正を行うようにした撮像装置がある（特許文献２参照）。
【先行技術文献】
【特許文献】
【００１５】
【特許文献１】特開２００１−２０３９１０号公報
【特許文献２】特開２００４−８８４０９号公報
【発明の概要】
【発明が解決しようとする課題】
【００１６】
ところが、上述の特許文献１に記載の撮像装置においては、画像中心（つまり、撮影中心）と周辺部分との輝度差を算出するための処理部が必要となって、その分、撮像装置における負荷が大きくなってしまう。さらに、レンズに起因する周辺光量落ちを考慮すると、照明の有無に拘わらず撮影中心と周辺部分とにおいては輝度差が生じてしまう。
【００１７】
つまり、照明の有無に拘わらず、撮影画像の中心部分と周辺部分との輝度差の補正を行わないと、画像の周辺部分は暗い状態のままとなってしまう。特許文献１においては、レンズに起因する周辺光量落ちが考慮されておらず、照明がオフの際には、周辺部分の光量（つまり、輝度）が低下してしまう恐れがある。
【００１８】
一方、特許文献２に記載の撮像装置では、画像の補正を行う際には、照明をオンおよびオフとして２枚の画像を撮影する必要がある。このため、２枚の画像が得られない状況下では補正を行うことが困難となる。
【００１９】
２枚の画像が得られない状況を考慮すると、予め比較のための画像をメモリなどに記憶しておく必要があるばかりでなく、比較処理を行うための処理部が必要となる。そして、撮影シーンが変化した場合などにおいては、照明のオンおよびオフによって２枚の画像を直ちに得ることが難しく、ユーザーにとっては使用勝手が悪い。
【００２０】
加えて、照明による周辺光量落ちを補正する際には、２枚の画像の位置合わせを精度よく行う必要があり、位置合わせの精度よく行われないと、周辺光量落ちの補正を行うことが困難となる。
【００２１】
そこで、本発明の目的は、簡単な構成で画像周辺部分の光量落ちを精度よく補正することのできる撮像装置、その制御方法、および制御プログラムを提供することにある。
【課題を解決するための手段】
【００２２】
上記の目的を達成するため、本発明による撮像装置は、被写体を照明する照明手段を備え、撮像光学系を介して被写体を撮影して画像を得る撮像装置であって、前記画像の周辺部分において生じる光量の低下である周辺光量落ちを補正する補正手段と、前記照明手段によって前記被写体が照明されているか否かを判定する判定手段とを有し、前記補正手段は、前記判定手段による判定結果に応じて、前記照明手段による照明に起因する前記周辺光量落ちの補正を行うか否かを決定することを特徴とする。
【００２３】
本発明による制御方法は、被写体を照明する照明手段を備え、撮像光学系を介して被写体を撮影して画像を得る撮像装置の制御方法であって、前記画像の周辺部分において生じる光量の低下である周辺光量落ちを補正する補正ステップと、前記照明手段によって前記被写体が照明されているか否かを判定する判定ステップと、前記判定ステップによる判定結果に応じて、前記補正ステップにおいて前記照明手段による照明に起因する前記周辺光量落ちの補正を行うか否かを決定する決定ステップと、を有することを特徴とする。
【００２４】
本発明による制御プログラムは、被写体を照明する照明手段を備え、撮像光学系を介して被写体を撮影して画像を得る撮像装置で用いられる制御プログラムであって、前記撮像装置が備えるコンピュータに、前記画像の周辺部分において生じる光量の低下である周辺光量落ちを補正する補正ステップと、前記照明手段によって前記被写体が照明されているか否かを判定する判定ステップと、前記判定ステップによる判定結果に応じて、前記補正ステップにおいて前記照明手段による照明に起因する前記周辺光量落ちの補正を行うか否かを決定する決定ステップと、を実行させることを特徴とする。
【発明の効果】
【００２５】
本発明によれば、照明手段によって被写体が照明されているか否かに応じて、照明手段による照明に起因する周辺光量落ちの補正を行うか否かを決定するようにしたので、簡単な構成で画像周辺部分の光量落ちを精度よく補正することができる。
【図面の簡単な説明】
【００２６】
【図１】本発明の第１の実施形態による撮像装置の一例についてその構成を示すブロック図である。
【図２】図１に示すカメラで行われる周辺光量落ち補正処理を説明するためのフローチャートである。
【図３】図１に示すカメラで行われる照明由来の周辺光量落ちの補正を説明するための図である。
【図４】図１に示すカメラを用いた際の照明照射領域のズーミングを示す図である。
【図５】本発明の第２の実施形態によるカメラで行われる周辺光量落ち補正処理を説明するためのフローチャートである。
【図６】本発明の第３の実施形態によるカメラで行われる周辺光量落ち補正処理を説明するためのフローチャートである。
【図７】従来の撮像装置における周辺光量落ちを説明するための図である。
【図８】周辺光量落ちが発生している画像の補正を説明するための図である。
【図９】光学由来の周辺光量落ちと照明由来の周辺光量落ちとが生じた際の画像を説明するための図である。
【発明を実施するための形態】
【００２７】
以下に、本発明の実施の形態による撮像装置の一例について、図面を参照して説明する。
【００２８】
［第１の実施形態］
図１は、本発明の第１の実施形態による撮像装置の一例についてその構成を示すブロック図である。
【００２９】
図示の撮像装置は、例えば、デジタルカメラ（以下単にカメラと呼ぶ）であり、レンズ群４０１を備えている。レンズ群４０１は、被写体からの光を撮像素子４０５に集光（結像）するための光学系である。レンズ群４０１には、被写体に対するピント合わせを行うためのフォーカスレンズおよび画角を調整するためのズームレンズなどが含まれる。
【００３０】
レンズ群４０１を通過した光（光学像）は光学フィルタ４０２を介して、絞り４０３でその光量が調整される。なお、光学フィルタ４０２として、例えば、赤外線カットフィルタ（ＩＲＣＦ）などが用いられる。
【００３１】
絞り４０３を通過した光学像は、撮像素子４０５の受光面に結像する。撮像素子４０５の受光面には所定の順序で配列されたカラーフィルタが配置されている。そして、撮像素子４０５は、光学像に応じた電気信号（アナログ信号）を出力する。
【００３２】
撮像素子４０５の出力であるアナログ信号はＡＧＣ（自動利得制御部）１０６に送られて、ここでゲイン調整されてその輝度が調整される。ＡＧＣ１０６の出力はＡ／Ｄ変換部１０７でＡ／Ｄ変換されてデジタル信号（デジタル撮像信号）として出力される。
【００３３】
映像信号処理部４０８は、デジタル撮像信号に対して所定の処理を施して、画素毎の輝度信号と色信号とを映像信号（画像データともいう）出力する。ここでは、出力用の映像信号を生成するとともに、カメラを制御するためのパラメータが生成される。カメラを制御するためのパラメータとして、例えば、絞りの制御、ピント合わせの制御、又は色味を調整するホワイトバランス制御などで用いられるパラメータがある。
【００３４】
映像信号処理部４０８は、周辺光量落ちの補正を行う周辺光量落ち補正部（図示せず）を備えており、周辺光量落ち補正部によって画面周辺部部分における輝度落ちである周辺光量落ちを補正する。つまり、周辺光量落ち補正部は画像の周辺部分において生じる光量の低下である周辺光量落ちを補正する。周辺光量落ち補正を行う際には、映像信号処理部４０８はパラメータとして絞りの度合いおよび被写体距離データをそれぞれ露出調整部４１０およびレンズ制御部４１３から得る。
【００３５】
映像信号出力部４０９は、映像信号処理部１０８で生成された映像信号を外部に出力する。露出調整部４１０は、映像信号処理部１０８から出力される輝度情報に応じて撮影画面における輝度を求める。そして、露出調整部４１０は当該輝度に基づいて撮影画像（つまり、映像信号）を所定の明るさに調整するため絞り４０３およびＡＧＣ４０６を制御する。なお、露出調整部４１０はシャッタースピードを調整して撮像素子１０５の電荷蓄積時間を制御して明るさの調整するようにしてもよい。さらに、露出制御部４１０は画像において被写体が暗い場合には、照明制御部４１１を制御して照明部４１２の点灯および調光処理を行う。
【００３６】
レンズ制御部４１３はレンズ群４０１を駆動制御してピント合わせを行う。ピント合わせの際には、レンズ制御部４１３は、映像信号処理部４０８で生成された映像信号から高周波成分を抽出して、当該高周波成分をフォーカスピント情報（フォーカス評価値）とする。そして、レンズ制御部４１３はフォーカス評価値が最大となるようにレンズ群４０１を駆動制御する。
【００３７】
外部設定部４１４は、カメラの設定を行う際に用いられる。例えば、外部設定部４１４を用いて、ユーザーはピント合わせ、明るさ指定、およびズーム倍率指定などのカメラ操作を行う。制御設定部４１６は外部設定部４１４で入力された制御命令に応じて、例えば、露出調整、レンズ制御、および照明制御などを行う。
【００３８】
照明制御部４１４は、露出制御部４１０によって被写体が暗いと判定された際、照明部４１５を点灯する。一方、被写体が十分明るいと判定された場合には、照明制御部４１４は照明部４１５をオフとして調光によって被写体輝度を調整する。
【００３９】
図２は、図１に示すカメラで行われる周辺光量落ち補正処理を説明するためのフローチャートである。
【００４０】
周辺光量落ち補正処理を開始すると、映像信号処理部４０８は、周辺光量落ちに影響を与えるカメラパラメータを取得する（ステップＳ５０１）。ここでは、例えば、映像信号処理部４０８、カメラパラメータとして、露出調整部４１０から絞り値を得るとともに、レンズ制御部４１３からフォーカス位置およびズーム位置などの焦点距離情報を得る。
【００４１】
続いて、映像信号処理部４０８は、照明制御部４１１から照明部４１２の状態、つまり、照明部４１２がオン又はオフであるかを示す照明部情報を得る。そして、映像信号処理部４０８は照明部情報に基づいて照明が点灯しているか否かを判定する（ステップＳ５０２）。
【００４２】
照明部４１２が点灯していないと（ステップＳ５０２において、ＹＥＳ）、映像信号処理部４０８は、レンズ群４０１などに起因する画像の周辺部分における光量落ちを補正するための光学由来の周辺光量落ち補正を行う（ステップＳ５０３）。そして、映像信号処理部４０８は周辺光量落ち補正処理を終了する。
【００４３】
なお、前述のように、光学由来の周辺光量落ちとはレンズ群４０１などの光学特性によって生じ、焦点距離情報および絞り値に応じて変わる。
【００４４】
ステップＳ５０３において、映像信号処理部４０８には、カメラパラメータに応じた補正パターンが予め周辺光量補正用データとして記憶されており、映像信号処理部４０８は、カメラパラメータに基づいて周辺光量補正用データを読み出して、当該周辺光量補正用データに応じて映像信号を補正して、周辺光量落ち補正を行う。
【００４５】
例えば、周辺光量補正用データを生成する際には、カメラパラメータを変更しつつ、予め輝度の均一な明るい被写体を撮影して得られた映像信号、つまり、画像においてその周辺部分の光量落ちを測定する。そして、当該測定結果に応じて、補正個所および補正強度を示す周辺光量補正用データを生成する。
【００４６】
図８で説明したように、一般的に周辺光量落ちは光軸中心に対して同心円状に発生するので、画像の中心部分から各画素又はエリア毎の距離に応じて補正強度を変えるようにすればよい（図８に示すように、ゲイン２０２を画像の中心部分からの距離に応じて変化させる）。
【００４７】
照明部４１２が点灯していると（ステップＳ５０２において、ＮＯ）、映像信号処理部４０８は、光学由来の周辺光量落ちと照明の点灯に起因する照明由来の周辺光量落ちとを補正して（ステップＳ５０４）、撮影画像における輝度を均一に保つ。そして、映像信号処理部４０８は周辺光量落ち補正処理を終了する。
【００４８】
なお、ステップＳ５０４の処理においては、後述するように、光学由来の周辺光量落ち補正データを用いた補正に加えて、照明の配光特性に応じて補正を行う必要がある。
【００４９】
図３は、図１に示すカメラで行われる照明由来の周辺光量落ちの補正を説明するための図である。
【００５０】
照明由来の周辺光量落ちを補正する際においても、光学由来の周辺光量落ちの補正と同様にして、映像信号処理部４０８に、予め照明の配光特性に応じた周辺光量落ち補正データを記憶する。そして、映像信号処理部４０８は、この周辺光量落ち補正データを用いて照明由来の周辺光量落ちを補正する。
【００５１】
図３に示すように、画像６０１に周辺光量落ちが発生している際、映像信号処理部４０８は中心部に対して周辺部分においてはゲイン６０２を大きくして、その輝度を高くする。これによって、映像信号処理部４０８は画面の輝度６０３を均一に保つようにする。
【００５２】
図４は、図１に示すカメラを用いた際の照明照射領域のズーミングを示す図である。
【００５３】
図４に示すように、画像においてその照明照射領域７０１についてズーミングすると、照明よる輝度落ちの程度が変化する。このため、映像信号処理部４０８に予め照明の配光特性を示す配光特性データを記憶する。そして、映像信号処理部４０８は、配光特性データに応じてズームエリア（切り出しエリア）７０２毎に周辺光量落ち補正を行う。
【００５４】
なお、光学由来の周辺光量落ちおよび照明由来の周辺光量落ちに係る補正量は、データテーブルとして記憶するようにしてもよく、メモリ容量を考慮して近似式などの計算式を用いて補正量を求めるようにしてもよい。
【００５５】
このようにして、本発明の第１の実施形態では、光学由来の周辺光量落ちばかりでなく、照明により生じる周辺光量落ちの補正も合わせて行うことができる。この結果、照明のオン又はオフに拘わらず、画像の輝度ムラを抑えることができる。
【００５６】
［第２の実施形態］
続いて、本発明の第２の実施形態によるカメラの一例について説明する。なお、第２の実施形態によるカメラの構成は、図１に示すカメラと同様である。
【００５７】
図５は、本発明の第２の実施形態によるカメラで行われる周辺光量落ち補正処理を説明するためのフローチャートである。なお、図５において、図２に示すフローチャートと同一のステップについては同一の参照符号を付して説明を省略する。
【００５８】
ステップＳ５０２において、照明が点灯していると（ステップＳ５０２において、ＮＯ）、映像信号処理部４０８は、照明制御部４１１から照明部４１２に係る照明調光データ（調光情報）を取得する（ステップＳ８０１）。ここで、調光情報とは、照明部４１２の光強度および照射エリア（配光特性）をいう。
【００５９】
例えば、照明部４１２には所謂オートズーム機構が備えられており、照明部４１２は、照明制御部４１１の制御下で焦点距離情報に応じて照明の照射範囲（つまり、照射角度）を変更して配光特性を変える（つまり、調光条件を変更する）。
【００６０】
照明部４１２がオートズーム機構を備えている場合には、調光条件を考慮して照明由来の周辺光量補正を行なわないと、周辺光量落ち補正を正しく行うことができない。よって、映像信号処理部４０８は、調光条件を示す調光情報に応じて照明由来の周辺光量落ち補正を行うことになる。
【００６１】
続いて、映像信号処理部４０８は、図２に関連して説明した光学由来の周辺光量落ち補正を行うとともに、ステップＳ８０１で取得した調光情報に基づいて照明由来の周辺光量落ち補正を行って、画像における輝度を均一に保つ（ステップＳ８０２）。そして、映像信号処理部４０８は周辺光量落ち補正処理を終了する。
【００６２】
このように、光学由来の周辺光量落ちと調光可能な照明部４１２による照明由来の周辺光量落ちとの双方を補正する際には、前述のように、光学由来の周辺光量落ち補正データに応じて光学由来の周辺光量落ち補正を行う。さらに、照明部４１２の調光条件に応じた配光特性に基づいて、照明由来の周辺光量落ち補正を行う。
【００６３】
照明部４１２において焦点距離に応じて照射エリアが変更されるか又は発光強度が変更されると、照明部４１２による輝度落ちの程度が変化する。このため、照明由来の周辺光量落ち補正については、映像信号処理部４０８は、予め焦点距離毎に照明部４１２の配光特性を示す配光特性データを記憶して、焦点距離毎に照明由来の周辺光量落ち補正を行う。
【００６４】
このようにして、本発明の第２の実施形態では、光学由来の周辺光量落ち補正ばかりでなく、照明部の配光特性の変化および光量の変化によって生じる周辺光量落ち補正も合わせて行うようにしたので、照明による撮影の結果得られた画像における輝度ムラを抑えることができる。
【００６５】
［第３の実施形態］
次に、本発明の第３の実施形態によるカメラの一例について説明する。なお、第３の実施形態によるカメラの構成は、図１に示すカメラと同様である。
【００６６】
図６は、本発明の第３の実施形態によるカメラで行われる周辺光量落ち補正処理を説明するためのフローチャートである。なお、図６において、図２に示すフローチャートと同一のステップについては同一の参照符号を付して説明を省略する。
【００６７】
第３の実施形態では、少なくともレンズ群４０１が交換可能なレンズユニットであり、さらに、照明部４１２に交換可能であるものとする。
【００６８】
周辺光量落ち補正処理を開始すると、映像信号処理部４０８は、照明制御部４１１から現在カメラに装着された照明部４１２の特徴を示す特徴データ（照明データともいう）を取得する（ステップＳ９０１）。ここでは、照明データは、照明部４１２の配光特性、照明強度、光源の種類、光源波長、および照明部４１２を識別するための照明識別データを有している。
【００６９】
照明部４１２によって（つまり、照明の種類毎に）、照明データは異なり、照明データが異なると、周辺光量落ちの特性が変化する。そして、当該照明データに応じた照明由来の周辺光量落ち補正データは、例えば、予め映像信号処理部４０８に記憶されている。なお、照明部４１２が照明由来の周辺光量落ち補正データを有して、照明部４１２がカメラに装着されると、照明部４１２から照明制御部４１１を介して、当該照明由来の周辺光量落ち補正データを映像信号処理部４０８に通知するようにしてもよい。
【００７０】
続いて、映像信号処理部４０８はレンズ制御部４１３から、カメラに装着されたレンズユニットに係るレンズデータを取得する（ステップＳ９０２）。このレンズデータは、例えば、フォーカスおよびズームの稼働範囲、絞り範囲、光学由来の周辺光量落ち補正データ、およびレンズユニットを識別するためのレンズ識別データを有している。映像信号処理部４０８は、レンズデータに応じて、つまり、レンズユニットの種類毎に、撮影の結果得られた画像においてどの程度周辺光量落ちが生じるかを判定する。
【００７１】
その後、映像信号処理部４０８は、ステップＳ５０１においてカメラパラメータを取得し、ステップＳ５０２において照明部４１２が点灯されているか否かを判定する。そして、照明部が点灯していないと（ステップＳ５０２において、ＹＥＳ）、映像信号処理部４０８は、レンズデータに応じた光学由来の周辺光量落ち補正データとカメラパラメータに応じた光学由来の周辺光量落ち補正データとに基づいて、光学由来の周辺光量落ち補正を行う（ステップＳ９０３）。ここでは、映像信号処理部４０８は、前述の判定結果に応じてフォーカス、ズーム、および絞りの稼働範囲において光学由来の周辺光量落ち補正を行うことになる。そして、映像信号処理部４０８は周辺光量落ち補正処理を終了する。
【００７２】
レンズデータに応じた光学由来の周辺光量落ち補正データは、例えば、予め映像信号処理部４０８に記憶されている。なお、レンズユニットが光学由来の周辺光量落ち補正データを有して、レンズユニットがカメラに装着されると、レンズユニットからレンズ制御部４１３を介して、当該光学由来の周辺光量落ち補正データを映像信号処理部４０８に通知するようにしてもよい。
【００７３】
ステップＳ５０２において、照明部４１２が点灯していると判定されると（ステップＳ５０２において、ＮＯ）、映像信号処理部４０８は、照明データに応じた照明由来の周辺光量落ち補正データに応じて周辺光量落ち補正を行う。さらに、映像信号処理部４０８は、レンズデータに応じた光学由来の周辺光量落ち補正データとカメラパラメータに応じた光学由来の周辺光量落ち補正データとに基づいて、光学由来の周辺光量落ち補正を行って（ステップＳ９０４）、画像における輝度を均一に保つ。そして、映像信号処理部４０８は周辺光量落ち補正処理を終了する。
【００７４】
このように、本発明の第３の実施形態では、照明部およびレンズユニットの組み合わせが変更されても、適切に周辺光量落ち補正を行うことができる。その結果、ユーザーは、照明部とレンズユニットとの組み合わせを考慮することなく撮影を行うことができる。
【００７５】
なお、第３の実施形態では、照明部およびレンズユニットが交換可能であるとしたが、レンズユニットのみが交換可能であても、同様にして、周辺光量落ち補正を行うようにすればよい。
【００７６】
上述の説明から明らかなように、図１に示す例においては、映像信号処理部４０８が補正手段として機能し、映像信号処理部４０８および照明制御部４１１が判定手段として機能する。なお、図１に示す例では、少なくともレンズ群４０１、光学フィルタ４−２、および絞り４０３が撮像光学系を構成する。
【００７７】
以上、本発明について実施の形態に基づいて説明したが、本発明は、これらの実施の形態に限定されるものではなく、この発明の要旨を逸脱しない範囲の様々な形態も本発明に含まれる。
【００７８】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００７９】
上記の制御方法および制御プログラムの各々は、少なくとも補正ステップ、判定ステップ、および決定ステップを有している。
【００８０】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００８１】
４０１  レンズ群
４０３  絞り
４０５  撮像素子
４０６  ＡＧＣ
４０８  映像信号処理部
４１０  露出制御部
４１１  照明制御部
４１２  照明部
４１３  レンズ制御部
４１５  制御設定部
【図１】
2015195499.tif 000003
【図２】
2015195499.tif 000004
【図３】
2015195499.tif 000005
【図４】
2015195499.tif 000006
【図５】
2015195499.tif 000007
【図６】
2015195499.tif 000008
【図７】
2015195499.tif 000009
【図８】
2015195499.tif 000010
【図９】
2015195499.tif 000011